(57)【要約】  【課題】初期の設備投資を軽減するとともに、付加機能を容易に追加する。  【解決手段】壁面12に埋込設置するスイッチ装置11に、操作部31と、ソケット33とを備える。ソケット33に無線アダプタ44を装着していない状態では、操作部31により負荷を制御する。ソケット33に無線アダプタ44を装着すると、外部の無線機器と送受信を行い、外部の無線機器を用いて、負荷の制御及び状態の間確認が可能になる。必要に応じてソケット33に無線アダプタ44を接続できるため、受信回路を固定的に実装した構成に比べ、初期の設備投資を軽減でき、高機能を容易に付加できる。ソケット33は、下方に開口し、無線アダプタ44のプラグ45が外部に露出しない状態で接続されるため、ソケット33の端子の部分への塵埃の侵入や付着を抑制でき、無線アダプタ44をソケット33に確実に接続できる。  【選択図】図１
2006134842.tif 000002
【特許請求の範囲】
【請求項１】
造営面に設置される装置本体と；
装置本体に設けられ負荷の状態を変更する操作手段と；
負荷の状態を遠隔操作によって変更可能である無線アダプタの被接続部が外部に露出しないように接続可能な接続部と；
を具備したことを特徴とするスイッチ装置。
【請求項２】
造営面に設置される装置本体と；
装置本体に設けられ負荷の状態を変更する操作手段と；
負荷の状態を遠隔操作によって変更可能である無線アダプタを収納可能なアダプタ収納部と；
アダプタ収納部内に設けられ無線アダプタの被接続部と接続可能な接続部と；
を具備したことを特徴とするスイッチ装置。
【請求項３】
操作手段は、近接した物体を検知して負荷の状態を変更する近接スイッチである
ことを特徴とする請求項１または２記載のスイッチ装置。
【請求項４】
接続部は、この接続部への無線アダプタの接続時に無線アダプタが近接スイッチの検知範囲を通過しない向きに配置された
ことを特徴とする請求項３記載のスイッチ装置。
【発明の詳細な説明】
【技術分野】
【０００１】
本発明は、造営面に設置されるスイッチ装置に関する。
【背景技術】
【０００２】
従来、壁面などの造営面に設置されるスイッチ装置において、着脱自在なリモコン送信機を壁スイッチの操作部と兼用させるとともに、このリモコン送信機から送信される赤外線の制御信号を受信する受信部を設け、手動操作とリモコン操作とを可能とした構成が知られている（例えば、特許文献１参照。）。
【特許文献１】特開２００４−１８７４９１号公報（第１頁、図１）
【発明の開示】
【発明が解決しようとする課題】
【０００３】
しかしながら、上記従来の構造では、経年使用に伴って、リモコンの取り外し回数が多くなると、スイッチ装置とリモコン送信機との機械的保持構造が弱くなり、不用意にリモコン送信機が外れてしまう虞がある。また、仮に、上記従来のスイッチ装置に新たな付加機能を付加しようとすると、スイッチ装置自体を交換しなければならないので、容易に機能を付加できない問題を有している。
【０００４】
本発明は、このような点に鑑みなされたもので、遠隔操作を可能にする機能部材を既設のスイッチ装置に容易に付加できるとともに、付加した機能部材と既設のスイッチ装置との接続信頼性の高いスイッチ装置を提供することを目的とする。
【課題を解決するための手段】
【０００５】
請求項１記載のスイッチ装置は、造営面に設置される装置本体と；装置本体に設けられ負荷の状態を変更する操作手段と；負荷の状態を遠隔操作によって変更可能である無線アダプタの被接続部が外部に露出しないように接続可能な接続部と；を具備したものである。
【０００６】
そして、この構成では、造営面に設置される装置本体に設けられた操作手段を操作することにより、負荷の状態を変更できる。必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、付加機能の追加を容易に行うことができる。さらに、接続部は、無線アダプタの被接続部が外部に露出しない状態で接続されるので、接続部への塵埃の侵入や付着が抑制され、無線アダプタが接続部に確実に接続される。さらにまた、頻繁に無線アダプタを取り外す必要がないため、接続部との機械的接続の信頼性が低下することがない。
【０００７】
請求項２記載のスイッチ装置は、造営面に設置される装置本体と；装置本体に設けられ負荷の状態を変更する操作手段と；負荷の状態を遠隔操作によって変更可能である無線アダプタを収納可能なアダプタ収納部と；アダプタ収納部内に設けられ無線アダプタの被接続部と接続可能な接続部と；を具備したものである。
【０００８】
そして、この構成では、造営面に設置される装置本体に設けられた操作手段を操作することにより、負荷の状態を変更できる。必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、付加機能の追加を容易に行うことができる。さらに、アダプタ収納部に無線アダプタを収納できるとともに、このアダプタ収納部内に接続部を設けたため、外観が向上するとともに、接続部は、無線アダプタの被接続部が外部に露出しない状態で接続されるので、接続部への塵埃の侵入や付着が抑制され、無線アダプタが接続部に確実に接続される。さらにまた、頻繁に無線アダプタを取り外す必要がないため、接続部との機械的接続の信頼性が低下することがない。
【０００９】
請求項３記載のスイッチ装置は、請求項１または２記載のスイッチ装置において、操作手段は、近接した物体を検知して負荷の状態を変更する近接スイッチであるものである。
【００１０】
近接スイッチは、例えば、赤外線を発光する発光素子と、赤外線を受光する受光素子とを備えて構成される。また、超音波を発振する超音波発振器と、超音波を受信する超音波受信器とを備えて構成することもできる。
【００１１】
そして、この構成では、操作手段として、手動操作の機械的なスイッチを備える必要がなく、小型化や製造コストの低減が容易になる。
【００１２】
請求項４記載のスイッチ装置は、請求項３記載のスイッチ装置において、接続部は、この接続部への無線アダプタの接続時に無線アダプタが近接スイッチの検知範囲を通過しない向きに配置されたものである。
【００１３】
そして、この構成では、接続部への無線アダプタの接続作業時に無線アダプタや無線アダプタを把持した手が近接スイッチにより検知されにくくなり、近接スイッチが意に反して動作することが抑制される。
【００１４】
なお、無線アダプタは、例えば、２．４５ＧＨｚ周波数帯を用いるＢＬＵＥＴＯＯＴＨ（登録商標）規格や、適宜の無線ＬＡＮの規格などを用いる。
【００１５】
また、操作手段は、例えば、プッシュスイッチやレバースイッチなどの機械式スイッチ、赤外線の発光部及び受光部を備えた近接センサ、指などの接触の有無を検出するセンサであるいわゆるタッチスイッチである接触センサ、人体の存否を検出する人感センサ、あるいは別体の赤外線ワイヤレスリモコンから送信される赤外線の信号を受信する赤外線受信装置などを用いる。
【００１６】
また、造営面に設置とは、例えば、壁面に埋込設置することである。
【発明の効果】
【００１７】
本発明のスイッチ装置によれば、造営面に設置される装置本体に設けられた操作手段を操作することにより、負荷の状態を変更できる。必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、付加機能の追加を容易に行うことができる。さらに、接続部は、無線アダプタの被接続部が外部に露出しない状態で接続されるため、接続部への塵埃の侵入や付着が抑制され、無線アダプタを接続部に確実に接続できる。さらにまた、頻繁に無線アダプタを取り外す必要がないため、接続部との機械的接続の信頼性の低下を防止できる。
【００１８】
また、本発明のスイッチ装置によれば、造営面に設置される装置本体に設けられた操作手段を操作することにより、負荷の状態を変更できる。必要に応じて無線アダプタを接続部に接続することにより、この無線アダプタと通信する機器を用いて、負荷の状態を変更できるとともに、負荷の状態を確認できる。無線アダプタは必要に応じて接続すれば良いため、付加機能の追加を容易に行うことができる。さらに、アダプタ収納部に無線アダプタを収納できるとともに、このアダプタ収納部内に接続部を設けたため、外観を向上できるとともに、接続部は、無線アダプタの被接続部が外部に露出しない状態で接続されるため、接続部への塵埃の侵入や付着を抑制でき、無線アダプタを接続部に確実に接続できる。さらにまた、頻繁に無線アダプタを取り外す必要がないため、接続部との機械的接続の信頼性の低下を防止できる。
【発明を実施するための最良の形態】
【００１９】
以下、本発明のスイッチ装置の第１の実施の形態を図１ないし図１０を参照して説明する。
【００２０】
図１は本発明のスイッチ装置の第１の実施の形態を示す造営面に取り付けた状態の説明図、図２は同上スイッチ装置の無線アダプタを取り外した状態の正面図、図３は同上スイッチ装置の無線アダプタを取り外した状態の底面図、図４は同上スイッチ装置の無線アダプタを取り付けた状態の正面図、図５は同上スイッチ装置のカバーの一部を取り外した状態の側面図、図６は同上スイッチ装置のカバーの一部を取り外した状態の正面図、図７は同上スイッチ装置のカバーの一部を取り外した状態の底面図、図８は同上スイッチ装置のブロック図、図９は同上スイッチ装置の動作を示す説明図であり、（a）は無線アダプタを取り外した状態、（b）は無線アダプタを取り付けた状態、図１０は同上スイッチ装置を操作する外部の無線機器の操作画面の説明図である。
【００２１】
図１ないし図７において、11はスイッチ装置で、このスイッチ装置11は、造営面としての家屋の室内の壁面12に埋込設置して取り付けられる３モジュール構造の配線器具形状をなす壁スイッチを構成している。そして、図１に示すように、壁面12には、縦長矩形状の開口部14が開口形成され、この開口部14に取り付けられたスイッチボックス15及びサポート16を介し、装置本体18及びこの装置本体18の表面側を覆うカバー20が取り付けられている。
【００２２】
そして、スイッチボックス15は、開口部14を覆うようにして壁面12の裏面側に設置され、壁面12の裏面側に配線される電力線及び信号線などの電線が引き込まれて装置本体18に接続される。そして、スイッチボックス15の前面は開口され、この前面開口の上下の部分から、互いに対向して取付片15aが突設されている。そして、各取付片15aには、ねじ孔である取付部が形成されている。また、サポート16は、ＪＩＳ規格で定められた金属製あるいは樹脂製の枠状の標準サポートで、取付片15aの取付部に螺合するねじにより、スイッチボックス15に固定して取り付けられる。
【００２３】
また、装置本体18は、ＪＩＳ規格で定められた３モジュールタイプの形状で、サポート16に係合などして固定されている。そして、装置本体18を覆うカバー20は、装置本体18の表面側を覆う第１のカバー21と、この第１のカバー21を囲む枠状の第２のカバー22とを備えている。
【００２４】
そして、この装置本体18は、箱状をなす樹脂製の筐体の内側に、図８に示すように、制御手段を構成する制御部23、記憶部24及び状態検知部である負荷電流検知部25と、スイッチ手段を構成するスイッチ部26及び位相制御部27と、操作手段としての操作部31と、接続部としてのソケット33と、表示手段である表示部35及びスピーカ部36と、電線が接続される端子部38と、電源部39となどを備えている。
【００２５】
そして、端子部38には、電線を介して電源としての商用交流電源Ａ及び照明装置などの負荷Ｌの電源線が接続され、電源部39が商用交流電源Ａから直流電源を生成し、各部に電力を供給する。
【００２６】
また、制御部23は、例えばいわゆるＰＣ板である回路基板23a上に実装されたＣＰＵ、いわゆるマイコンなどにて構成され、各部に電気的に接続され、各部からの信号が入力されるとともに、各部へ信号などを出力して制御するようになっている。すなわち、制御部23には、操作部31が接続され、この操作部31を手動操作する毎に、操作部31が負荷Ｌをオンオフ反転動作させる手動操作制御信号を出力する。そして、この手動操作制御信号に応じて、制御部23が負荷制御信号を発生し、この負荷制御信号に応じて、リレーなどを備えたスイッチ部26が負荷Ｌへの電源供給をオンオフする。また、制御部23の負荷制御信号に応じて、位相制御部27が位相を変化させ、供給する電力の大きさを変化させる。なお、この実施の形態では、操作部31は、カバー20の表面部と同一平面上に形成された窓部31aと、この窓部31aに覆われて保護された赤外線の発光部31bと受光部31cなどを設けた近接センサを備えた近接スイッチであり、図９（a）に示すように、操作部31の検知窓である窓部31aの近くに設定された所定の検知範囲Ｓに手をかざすことにより、負荷Ｌをオンオフできる。また、図６に示すように発光部31bと受光部31cは、他の回路部品と同じ回路基板23a上に実装され、発光部31bから所定間隔で正面側（図１に示す矢印Ｄ1方向）に赤外線を照射し、手などで反射された赤外線を受光部31cで受けることにより、物体の接近を検知するようになっている。なお、この近接スイッチの検知範囲Ｓは、正面側を中心とする水滴状となる。また、窓部31aは、例えば第１のカバー21の表面に一体的に組み込んで設けられ、例えばアクリル系の樹脂で形成され、赤外線を透過するとともに、赤外線を集光するレンズ機能などを有している。そして、負荷電流検知部25が検知した負荷Ｌの電流、及び、負荷制御信号などを記憶部24に記憶などすることにより、制御部23が負荷Ｌの状態、例えば、照明装置についてはランプの点灯、調光、消灯などを管理する。
【００２７】
そして、表示部35は、例えば１個の発光ダイオード（ＬＥＤ）を備え、制御部23に制御されて、操作内容及び負荷Ｌなどの状態を点滅あるいは色などにより伝える。また、スピーカ部36は、スピーカ、増幅器、音声合成装置などを備え、制御部23に制御されて、操作内容及び負荷Ｌなどの状態をブザー音あるいは合成音声などの音により伝えるものである。
【００２８】
また、ソケット33は、制御部23に電気的に接続されるとともに、装置本体18の他の部分より表面側に突出して回路基板などに機械的に取り付けられ、下方に開口する状態で装置本体18に設けられている。すなわち、このソケット33には、必要に応じて、装置本体18とは別体をなす無線アダプタ44の被接続部としてのプラグ45が下方から挿入して着脱可能に電気的及び機械的に接続される。そして、図６及び図７に示すように、ソケット33には、９本の端子（９Ｐ）33aとこれら端子33aを囲む扁平な筒状の取付部33bとが設けられ、プラグ45には、ソケット33の端子33aに電気的に接続される９本の端子と、取付部33bに嵌合して機械的及び電気的に接続される扁平な筒状の筒状部とが設けられている。そして、これらソケット33とプラグ45との互いに接続された端子33aを介して、装置本体18の制御部23と無線アダプタ44側とが信号を入出力可能にかつ装置本体18側から無線アダプタ44側に電力を供給可能に接続される。また、第１のカバー21の略中央部には、ソケット33を覆うソケット覆い部21bが表面側に突出して設けられているとともに、このソケット覆い部21bの下部には、ソケット33の開口を下方に露出させる開口部21cが設けられている。
【００２９】
そして、無線アダプタ44は、無線通信カードリッジ、無線ユニット、無線モジュールなどとも呼ばれるもので、プラグ45の下側に、幅寸法、高さ寸法、及び厚さ寸法のいずれものプラグ45より大きいアダプタ本体部46が設けられている。そして、このアダプタ本体部46には、無線機能、本実施の形態では２．４５ＧＨｚ周波数帯を用いるＢＬＵＥＴＯＯＴＨ（登録商標）規格で外部の無線機器51と無線通信を可能とする装置が組み込まれている。
【００３０】
そこで、このスイッチ装置11は、図１に２点鎖線で示すように、無線アダプタ44を装着することにより、無線アダプタ44を認識した制御部23により設定が自動的に変更され、図９（b）に示すように、無線機器51を用いた外部の離れた場所からの遠隔操作として、オンオフなどの無線信号を送受信し、外部からの操作による制御信号を無線アダプタ44で受信して制御部23に入力できるとともに、負荷Ｌの状態を無線アダプタ44から外部に送信し、外部の無線機器51で受信して確認できるようになっている。
【００３１】
また、外部の無線機器51としては、いわゆるタッチパネルの液晶表示装置などを備えた専用の操作端末の他、ＢＬＵＥＴＯＯＴＨ（登録商標）規格での無線通信が可能な携帯電話52を用いることができ、さらに、無線通信が可能であるとともにインターネットなどのネットワーク54と接続可能なアクセスポイント機器55を用いることにより、インターネット経由でスイッチ装置11すなわち負荷Ｌを操作することが可能になっている。
【００３２】
また、負荷Ｌは、照明装置の他、空調装置、冷蔵庫、調理器具、洗濯機、防犯装置などに適用できる。
【００３３】
図１０に、携帯電話52により負荷Ｌとしての家庭の照明装置を制御及び確認する操作画面60の例を示す。この操作画面60では、照明装置の一覧61が示されるとともに、各照明装置について、オンオフの状態62が示され、照明装置の点灯状態を確認できる。そして、操作者は、十字ボタンなどを操作し、選択の欄63にチェックを付した状態で、オンのアイコン64またはオフのアイコン65を選択し、さらに決定のアイコン66を選択して実行操作をすることにより、選択した照明装置について一斉にオンまたはオフに切り換える制御を実行できる。
【００３４】
このように、本実施の形態によれば、壁面12に埋込設置される配線器具形状のスイッチ装置11であって、装置本体18の操作部31を操作することにより、負荷Ｌの状態を変更し、例えば照明器具をオンオフできる。そして、必要に応じて無線アダプタ44をソケット33に挿入して接続することにより、制御部23の制御に基づき、この無線アダプタ44と通信する無線機器51を用いて、負荷Ｌの状態を変更できるとともに、負荷Ｌの状態を確認できる。そして、ＢＬＵＥＴＯＯＴＨ（登録商標）規格などの無線を用いることにより、例えば従来用いられている赤外線リモコンに比べ、双方向の通信が可能になり、離れた場所から負荷Ｌの状態を監視できるとともに、遮蔽物を超えて別の部屋からの負荷Ｌの制御及び監視も行うことができる。また、このスイッチ装置11は埋込型であるため、例えば、天井造営面のローゼットなどのコンセントと照明器具との間に設置する構成に比べ、外観を容易に向上できるとともに、造営面に密着して設置する直付形の照明器具用のスイッチ装置11として適用することもできる。
【００３５】
そして、無線アダプタ44は、いわばカートリッジ式であり、無線アダプタ44を接続していない状態では、制御部23の制御に基づき、操作部31により負荷Ｌの制御が可能であるとともに、必要に応じてソケット33に適宜下方から挿入して無線アダプタ44を接続することにより、負荷Ｌの電源をオンオフする壁スイッチに無線機能を付加できるため、例えばリモコン信号受信回路を固定的に実装した構成に比べ、初期の設備投資を軽減でき、高機能を容易に付加することができる。言い換えれば、無線アダプタ44を備えた状態で無線機能を有するスイッチ装置11について、無線アダプタ44を取り外した状態でも、センサなどの操作部31により所定の信号を送って負荷Ｌの制御が可能な埋込配線器具形状のスイッチ装置11を提供できる。
【００３６】
さらに、ソケット33は、無線アダプタ44のプラグ45が外部に露出しない状態で接続されるとともに、いわば下向きに設けられ、下方に開口するため、簡略な構成で、ソケット33の端子33aの部分への塵埃の侵入や付着が抑制され、無線アダプタ44をソケット33に確実に接続できる。
【００３７】
また、ソケット33は、装置本体18の表面側に突出して設けられ、無線アダプタ44はスイッチ装置11すなわちカバー20の表面側に露出して取り付けられるため、ＢＬＵＥＴＯＯＴＨ（登録商標）規格などの比較的小形化が困難な無線アダプタ44についても、装置本体18の内部の物理的空間を他の部材のために確保でき、スイッチ装置11を容易に構成することができる。
【００３８】
また、このスイッチ装置11の装置本体18は、ＪＩＳ規格で定められた３モジュール構造の配線器具形状で、汎用的なスイッチボックス15やサポート16を用いて設置が可能であり、コストを低減することができる。
【００３９】
また、リモコンを壁スイッチと一体とするような構成よりも、無線アダプタは取り外し頻度が格段に小さいので、経年使用においても、無線アダプタとソケットとの機械的接続の信頼性が低下することはない。
【００４０】
さらに、操作部31は、手動操作の機械的スイッチを備えず、近接スイッチなどのセンサ検知方式としたため、手動操作の機械的スイッチを用いる構成に比べ、構造を簡略化でき、安価に構成できるとともに小形化も容易になる。すなわち、機械式の開閉機構であるスイッチを構成するためには、操作ハンドル、開閉用接点付可動片、固定側接点部材、操作用ばねなどの部品が必要になる。そして、配線器具は、製品が小さいため、各部品も専用の部品を用意する必要があり、金型投資などの初期投資が増加し、特に製造数が少ない場合には製品に対する投資の償却単価が大きくなるとともに、手作業の組み立て工程が多く、組立に要する費用も増加する。これに対して、近接スイッチでは、操作部31は、主として近接センサを構成する発光部31b及び受光部31cと保護レンズである窓部31aとの３部品で構成されるため、機械式スイッチに比べ、少ない部品で構成できる。また、近接スイッチの操作部31は、発光部31b及び受光部31cが回路基板23aに実装されるため、回路基板23aの組み立て作業の中で、操作部31の組み立て作業もほぼ完結できる。さらに、内部に機械式操作部を備える場合、樹脂製の本体やカバーに開閉部を配置するための支点部や、固定接点などを固定するモールド構造などが必要になり、金型の構造が複雑となって製造コストの低減が容易ではないが、センサ式では、保護レンズである窓部31aに覆われた内部に配置された回路基板23aに発光部31b及び受光部31cを配置するため、金型の構造が比較的簡略になり、製造コストを容易に低減できる。また、無線アダプタ44の接続機能を有する埋込配線器具については、もともとソケット33が接続される回路基板23aや制御用の回路などを備えるものであり、これら回路基板23aや制御系の部品を共用することにより、製造コストを低減できる。
【００４１】
また、操作部31は近接スイッチであるが、このように、埋込形配線器具で無線アダプタ44の接続機能と各種近接センサ機能とを備えた接続デバイスにおいては、
例えば、近接スイッチの検知窓である窓部31aと無線アダプタ44を取り付けるソケット33の開口部とが同一平面上に存在すると、無線アダプタ44の接続作業時に、無線アダプタ44や無線アダプタ44を把持した手が近接スイッチの検知範囲Ｓを通過し、意に反した動作が行われる可能性がある。この点、本実施の形態では、近接スイッチの検知窓である窓部31aと無線アダプタ44を取り付けるソケット33の開口部とが同一平面上になく、近接センサの位置に対し、無線アダプタ44を接続するソケット33の開口部が０度以上の角度を持つように設定され、すなわち、図１のＤ1とＤ2とが平行でなくかつ互いに交わらないように配置されている。そして、本実施の形態では、スイッチ装置11の表面の上部に正面側を向いて配置された近接スイッチの検知窓である窓部31aに対して、無線アダプタ44を取り付けるソケット33を、無線アダプタ44や接続作業を行う手が窓部31aの正面側の検知範囲Ｓに侵入しにくい位置及び方向として、窓部31aより下方、すなわち、スイッチ装置11の表面の中央あるいはあるいは下方で、かつ、下方、好ましくは正面側に対して下向きに直交すなわち約９０度の角度で設定されているため、無線アダプタ44の接続作業時すなわち取付時及び取り外し時に、無線アダプタ44や接続作業を行う手の動きが近接センサに影響を与えにくい位置関係となり、すなわち、近接センサに検知されにくくすることができ、接続動作時の意に反する動作すなわち負荷の入り切りを抑制できる。
【００４２】
なお、ソケット33の向きは必ずしもスイッチ装置11の正面側に対して約９０度に限られず、無線アダプタ44の接続作業時に近接センサに影響を与えにくく不意の動作を防止できる範囲であれば良く、近接センサの検知能力などに応じて、設定することができる。
【００４３】
また、無線アダプタ44や接続作業を行う手が検知範囲Ｓに侵入しにくくする構成として、窓部31aを設けた面から突出した突出部であるソケット覆い部21bを、検知範囲Ｓを規制する遮蔽物として利用することもできる。
【００４４】
なお、上記の実施の形態では、操作部31は、赤外線を照射し対象で反射された赤外線を受光するセンサースイッチである近接スイッチを備えたが、この構成に限られず、操作部31として人感センサやワイヤレスリモコンの受信部を用い、あるいは、機械式などのプッシュスイッチやレバースイッチを用いることもできる。例えば、人感センサについては、操作部31を、焦電センサなど人体の存否を検出できる人体検出部とし、この人体検出部である操作部31からの人感信号に応じて、制御部23に負荷制御信号を発生させることができるとともに、無線アダプタ44を用いて、人体の検出状態を外部に送信し、屋外から家屋内の人の存否を確認することもできる。また、ワイヤレスリモコンを用いる構成については、操作部31を、ワイヤレスリモコンから送信される赤外線を受信する赤外線受信部とし、この赤外線受信部である操作部31が受信したリモコン信号に応じて、制御部23に負荷制御信号を発生させることができる。また、操作部31を各種センサあるいは赤外線受信部とする場合には、カバー20の窓部31aはレンズとすることができる。
【００４５】
さらに、この操作部31をユニット式とし、各種のスイッチ手段、例えばプッシュスイッチと人感センサとを選択的に取り付け可能として、汎用性を向上することもできる。
【００４６】
また、この操作部31は、スイッチ手段としての複数の機能を兼ね備えさせることもできる。例えば、操作部31を、赤外線ワイヤレスリモコンから送信される赤外線を受信する赤外線受信部とする構成において、この操作部31の窓部31aを、押動操作可能なプッシュスイッチとすることもできる。
【００４７】
さらに、操作部31について、スイッチ手段としての機能の他、他の機能を持たせることもできる。
【００４８】
次に、本発明の第２の実施の形態を図１１ないし図１４を参照して説明する。なお、第１の実施の形態と同様の部分については、同一の符号を付して説明を省略する。
【００４９】
図１１は本発明のスイッチ装置の第２の実施の形態を示す造営面に取り付けた状態の説明図、図１２は同上スイッチ装置の無線アダプタを取り外した状態の正面図、図１３は同上スイッチ装置の無線アダプタを取り外した状態の底面図、図１４は同上スイッチ装置の無線アダプタを取り付けた状態の正面図である。
【００５０】
そして、この第２の実施の形態では、装置本体18のソケット33が中央部より若干上側に配置されているとともに、このソケット33の下方に位置して、スイッチ手段としての操作部31が設けられている。そして、この操作部31は、赤外線ワイヤレスリモコンから送信される赤外線を受信する赤外線受信部であるとともに、操作部31を構成する窓部31aがカバー20の表面側に弾性的に進退可能に突出して形成され、窓部31aすなわち操作部31がプッシュスイッチとして機能するとともに、ソケット33の開口に対向して配置されるストッパとして機能する。
【００５１】
すなわち、このスイッチ装置11は、無線アダプタ44を装着していない状態では、操作部31により、センサースイッチ及び押動時に所定の信号を送信するプッシュスイッチとしての機能を持つ。また、無線アダプタ44を装着した状態では、この無線アダプタ44により、遠隔操作及び監視が可能な機能が加わる。さらに、無線アダプタ44を装着した状態では、図１１に２点鎖線で示すように、窓部31aすなわち操作部31が無線アダプタ44の下端に当接あるいは僅かな間隔を介して対向し、無線アダプタ44の落下など不意の移動を防止できるようになっている。また、無線アダプタ44の脱着の際は、窓部31aすなわち操作部31を押し込むことにより、容易に脱着作業をすることができる。
【００５２】
なお、このような無線アダプタ44を支持するストッパは、例えばカバー20の一部を表面側に弾性的に変形可能に突設し、スイッチ手段とは別体に設けることもできる。
【００５３】
また、上記の各実施の形態において、カバー20の形状を変更し、例えば、カバー20に装着した無線アダプタ44の下方以外の部分を覆う覆い部を設け、塵埃を防止し、外観を向上するなどの効果の向上を図ることもできる。
【００５４】
また、上記の各実施の形態において、無線アダプタ44は、アダプタ本体部46からプラグ45を突設する形状としたが、この構成に限られず、チップ状やカード状とすることもできる。
【００５５】
図１５は本発明のスイッチ装置の第３の実施の形態を示す無線アダプタを取り付けた状態の断面図である。図１６は同上スイッチ装置の無線アダプタを取り付けた状態の正面図である。図１７は同上スイッチ装置の無線アダプタを取り付けた状態の側面図である。図１８は同上スイッチ装置の無線アダプタを取り付けた状態の底面図である。
【００５６】
これら図１５ないし図１８に示す第３の実施の形態では、無線アダプタ44が、図１などに示す構成より若干大きく形成されている。また、これらの図では、無線アダプタ44のアダプタ本体部46の外殻を構成するケース46aが、正面側の第１のケース部材46bと裏面側の第２のケース部材46cとを組み合わせて形成されている点が示されている。また、この無線アダプタ44の形状に応じて、スイッチ装置11のソケット33の位置が窓部31aを設けた面に対して若干正面側に変更されているとともに、ソケット覆い部21bの突出寸法が若干大きく形成されている。さらに、図１５には、装置本体18の裏面側に、壁面12内に配置された電源線などが接続される端子部68が示されている。
【００５７】
図１９は本発明のスイッチ装置の第４の実施の形態を示す無線アダプタを取り付けた状態の正面図である。図２０は同上スイッチ装置の無線アダプタを取り付けた状態の側面図である。図２１は同上スイッチ装置の無線アダプタを取り付けた状態の底面図である。
【００５８】
これら図１９ないし図２１に示す第４の実施の形態では、無線アダプタ44の接続機能を有する埋込配線器具であるスイッチ装置11について、無線アダプタ44を取り付けた状態で、無線アダプタ44の両側部に当接しあるいは僅かな間隔を介して対向して支持する両側一対のガイド部69を設けたものである。このガイド部69は、例えばカバー20の第２のカバー22から一体に突設され、あるいは別体の部材をカバー20に取り付けて構成されている。なお、このガイド部69は、無線アダプタ44のケース46aを構成する部材である第１のケース部材46bと第２のケース部材46cとの両方に当接し、無線アダプタ44を安定して保持できる寸法だけ突設されている。また、このガイド部69は、外観を向上するため、外側面及び下面が傾斜面として形成されている。
【００５９】
そして、この構成では、スイッチ装置11に無線アダプタ44を取り付けた状態で、無線アダプタ44に対し、例えば不意の人の接触などにより、無線アダプタ44の差し込み方向に対して例えば約９０度の向きすなわち横方向の力が加わった際に、これらガイド部69が無線アダプタ44の側部に当接して動かないように支持し、ソケット33及びプラグ45に過度の力が加わることを抑制して保護することができる。
【００６０】
なお、このガイド部69は、例えば、カバー20とは別体に構成し、使用する無線アダプタ44の寸法に応じて、カバー20の表面に接着などして取り付けることもできる。また、無線アダプタ44を装着していない状態では、カバー20の表面側と面一になり、あるいはカバー20の表面側の裏面側に後退し、無線アダプタ44を装着した状態で、自動的に正面側に突出するようにして、外観の向上を図ることもできる。
【００６１】
また、このガイド部69は、例えば内側面を傾斜面などとすることにより、無線アダプタ44の接続作業を容易にする案内として機能させることもできる。
【００６２】
また、無線アダプタ44の形状や大きさによっては、装置本体18の内部に無線アダプタ44の全体あるいはほぼ全体を収納することもできる。
【００６３】
次に、本発明の第５の実施の形態を図２２及び図２３を参照して説明する。なお、第１の実施の形態と同様の部分については、同一の符号を付して説明を省略する。
【００６４】
図２２は本発明のスイッチ装置の第５の実施の形態を示す無線アダプタを取り付けた状態の側面図、図２３は同上スイッチ装置の無線アダプタを取り外した状態の正面図である。
【００６５】
そして、この第５の実施の形態では、無線アダプタ44は、カード状すなわち四角形板状をなし、先端部に端子部70を設けたアダプタ本体部71と、このアダプタ本体部71の基端部に設けられたアンテナ部72とを備えている。また、スイッチ装置11の装置本体18には、上下方向を長手方向とするスロット状のアダプタ収納部75が設けられ、このアダプタ収納部75の最も裏面側すなわち最奥部に所定のピン配列の端子を備えた接続部76が設けられている。さらに、アダプタ収納部75の表面側には、揺動可能なシャッタ77が設けられているとともに、アダプタ収納部75の下方に位置して、リリースボタン78が備えられている。
【００６６】
そして、この実施の形態では、無線アダプタ44を取り外した状態では、シャッタ77がアダプタ収納部75の表面側を閉塞して塵埃の侵入を防止しているとともに、リリースボタン78は裏面側に後退している。そして、アダプタ収納部75にカード状の無線アダプタ44を押し込むと、シャッタ77は回動しながら後退する。そして、無線アダプタ44の先端部の端子部70が接続部76に接続された状態で、無線アダプタ44のアダプタ本体部71の全体がアダプタ収納部75に収納され、アンテナ部72がアダプタ収納部75の内部に位置する。また、この状態で、リリースボタン78が表面側に若干突出し、このリリースボタン78を押動することにより、無線アダプタ44を容易に取り外しできるようになっている。
【００６７】
このように、無線アダプタ44の全体あるいはほぼ全体をスイッチ装置11の装置本体18に収納する構成では、特に、無線アダプタ44を接続していない状態での外観を容易に向上できるとともに、塵埃対策を確実にすることができる。また、無線アダプタ44を接続した状態でも、外部に突出する部分を小さくして、外観を向上できる。
【００６８】
なお、無線アダプタ44の全体をスイッチ装置11の装置本体18に収納する構成をとる場合には、手動操作などにより回動するドア状あるいはスライドするシャッタ状の蓋体を設け、無線アダプタ44の全体を外部から見えないように収納することもできる。さらに、蓋体で無線アダプタ44を覆う構成では、蓋体で覆われる部分にリリースボタン78を配置し、外観を向上するとともに、蓋体を開いた状態でリリースボタン78を操作可能として、誤操作を防止することができる。
【産業上の利用可能性】
【００６９】
本発明は、壁面などの造営面に設置されるスイッチ装置として用いることができる。
【図面の簡単な説明】
【００７０】
【図１】本発明のスイッチ装置の第１の実施の形態を示す造営面に取り付けた状態の説明図である。
【図２】同上スイッチ装置の無線アダプタを取り外した状態の正面図である。
【図３】同上スイッチ装置の無線アダプタを取り外した状態の底面図である。
【図４】同上スイッチ装置の無線アダプタを取り付けた状態の正面図である。
【図５】同上スイッチ装置のカバーの一部を取り外した状態の側面図である。
【図６】同上スイッチ装置のカバーの一部を取り外した状態の正面図である。
【図７】同上スイッチ装置のカバーの一部を取り外した状態の底面図である。
【図８】同上スイッチ装置のブロック図である。
【図９】同上スイッチ装置の動作を示す説明図であり、（a）は無線アダプタを取り外した状態、（b）は無線アダプタを取り付けた状態である。
【図１０】同上スイッチ装置を操作する外部の無線機器の操作画面の説明図である。
【図１１】本発明のスイッチ装置の第２の実施の形態を示す造営面に取り付けた状態の説明図である。
【図１２】同上スイッチ装置の無線アダプタを取り外した状態の正面図である。
【図１３】同上スイッチ装置の無線アダプタを取り外した状態の底面図である。
【図１４】同上スイッチ装置の無線アダプタを取り付けた状態の正面図である。
【図１５】本発明のスイッチ装置の第３の実施の形態を示す無線アダプタを取り付けた状態の断面図である。
【図１６】同上スイッチ装置の無線アダプタを取り付けた状態の正面図である。
【図１７】同上スイッチ装置の無線アダプタを取り付けた状態の側面図である。
【図１８】同上スイッチ装置の無線アダプタを取り付けた状態の底面図である。
【図１９】本発明のスイッチ装置の第４の実施の形態を示す無線アダプタを取り付けた状態の正面図である。
【図２０】同上スイッチ装置の無線アダプタを取り付けた状態の側面図である。
【図２１】同上スイッチ装置の無線アダプタを取り付けた状態の底面図である。
【図２２】本発明のスイッチ装置の第５の実施の形態を示す無線アダプタを取り付けた状態の側面図である。
【図２３】同上スイッチ装置の無線アダプタを取り外した状態の正面図である。
【符号の説明】
【００７１】
11    スイッチ装置
12    造営面としての壁面
18    装置本体
31    操作手段としての操作部
33    接続部としてのソケット
44    無線アダプタ
45    被接続部としてのプラグ
75    アダプタ収納部
76    接続部
Ｌ    負荷
Ｓ    検知範囲
【図１】
2006134842.tif 000003
【図２】
2006134842.tif 000004
【図３】
2006134842.tif 000005
【図４】
2006134842.tif 000006
【図５】
2006134842.tif 000007
【図６】
2006134842.tif 000008
【図７】
2006134842.tif 000009
【図８】
2006134842.tif 000010
【図９】
2006134842.tif 000011
【図１０】
2006134842.tif 000012
【図１１】
2006134842.tif 000013
【図１２】
2006134842.tif 000014
【図１３】
2006134842.tif 000015
【図１４】
2006134842.tif 000016
【図１５】
2006134842.tif 000017
【図１６】
2006134842.tif 000018
【図１７】
2006134842.tif 000019
【図１８】
2006134842.tif 000020
【図１９】
2006134842.tif 000021
【図２０】
2006134842.tif 000022
【図２１】
2006134842.tif 000023
【図２２】
2006134842.tif 000024
【図２３】
2006134842.tif 000025